(57)【要約】【課題】  多種多様の電子機器や周辺機器の端子であっても、１つのコネクタ本体で多数の電子機器端末を、接続可能となしに電子情報接続用コネクタを提供すること。【解決手段】  パーソナルコンピュータ等と接続するケーブルを備えたコネクタ本体にあって、該コネクタ本体はこれを多角形の盤状となし、各多角形の面には、キーボードやマウス，モデム，ジョイスティックなどの周辺機器とパーソナルコンピュータを結ぶデータ伝送路であるＵＳＢの端子や、携帯電話のサービス伝送路であるＦＯＭＡの端子や、ユーザのセキュリティに関する情報などを管理しその認証を行うサーバとの伝送路であるＰＤＣの端子や、携帯電話などの無線通信に使われる符号分割多重方式との接続に用いられるＣＤＭＡの端子や、高速な音楽データの転送を可能とするｉｐｏｄの端子プラグ等多種多用のオスorメス端子を設けてなる。【選択図】図３
0003127095.tif 000002
【実用新案登録請求の範囲】
【請求項１】
パーソナルコンピュータ等と接続するケーブルを備えたコネクタ本体にあって、該コネクタ本体はこれを多角形の盤状となし、
各多角形の面には、キーボードやマウス，モデム，ジョイスティックなどの周辺機器とパーソナルコンピュータを結ぶデータ伝送路であるＵＳＢの端子や、
携帯電話のサービス伝送路であるＦＯＭＡの端子や、ユーザのセキュリティに関する情報などを管理しその認証を行うサーバとの伝送路であるＰＤＣの端子や、携帯電話などの無線通信に使われる符号分割多重方式との接続に用いられるＣＤＭＡの端子や、高速な音楽データの転送を可能とするｉｐｏｄの端子プラグなど、
等多種多用のオスorメス端子が設けられていることを特徴とする電子情報接続用コネクタ。
【考案の詳細な説明】
【技術分野】
【０００１】
この考案は、多種多様の電子情報機械を接続する電子情報接続用コネクタに関する。
【背景技術】
【０００２】
今日キーボードやマウス、モデム、ジョイスティックなどとパーソナルコンピュータ（以下単にＰＣという）を結ぶデータ伝送路であるＵＳＢ（Universal  Serial  Bus）や、携帯電話サービス伝送路であるＦＯＭＡ（Freedom of Mobile multimedia Access）や、ユーザのセキュリティに関する情報などを管理し、その認証を行うサーバとの伝送路であるＰＤＣ（Primary  Of  Mobile  multimedia  Access）や、高速な音楽データの転送を可能とするｉｐｏｄ（米国Apple社登録商標）などの情報を処理する多種多様の情報処理機器や周辺機器が出回っている。
【０００３】
しかし、それらの複数の機器を接続したり、あるいは接続ケーブルの延長させたりするには、それぞれの機器の特性があって、それぞれ独自の専用端末（プラグやソケット）などのコネクタが必要となり、これら端末の相互交換はできない。
【０００４】
そこで仮令えば、車輌内に配装されたシガーライターソケットに接続するアダプタに、携帯用オーディオ機器で聴取可能であり乍ら携帯用電子機器を同時に充電することが可能なトランスミッター装置（特許文献１参照）が考案されている。
【０００５】
また上記ＵＳＢ接続方式は複雑なインターフェイスを統一化し接続を容易にするものとして近年注目されており、各種周辺機器への適用が進展している。しかるに、一台のＰＣ本体に対し、接続したい周辺機器の数が増えると、コネクタ数つまりＵＳＢレセプタルの数が足りなくなるといった状況が発生し、このような場合、従来においては例えばＵＳＢハブ同士を連結してＵＳＢレセプタルの数を増やすといったことが行われていた。
【０００６】
而してＵＳＢハブ同志の連結は、一方のＵＳＢハブのＵＳＢレセプタルに、他方のＵＳＢハブのＵＳＢプラグを接続することによってＵＳＢハブを増設すると、ケーブルの数が増えその分ＵＳＢハブの周囲がケーブルによって占有され、煩雑で邪魔なものとなっていた。
【特許文献１】登録実用新案公報第３１１２８８８号
【考案の開示】
【考案が解決しようとする課題】
【０００７】
本考案の目的は多種多様の電子機器や周辺機器の端子であっても、１つのコネクタ本体で多数の電子機器端末を、接続可能となしに電子情報接続用コネクタを提供することにある。
【課題を解決するための手段】
【０００８】
而して本考案の特徴とするところは、ＰＣ等と接続するケーブルを備えたコネクタ本体にあって、該コネクタ本体はこれを多角形の盤状となしたことである。
【０００９】
また他の特徴として上記コネクタ本体の各多角形の面には、キーボードやマウス、モデム、ジョイスティックなどの周辺機器とパーソナルコンピュータを結ぶデータ転送路であるＵＳＢ端末や、携帯電話のサービス伝送路であるＦＯＭＡ端末や、ユーザのセキュリティに関する情報などを管理しその認証を行うサーバとの伝送路であるＰＤＣ端末や、携帯電話などの無線通信に使われる符号分割多重方式との接続に用いられるＣＤＭＡ端末や、高速な音楽データの転送を可能とするｉｐｏｄ端末など、多種多様オス若しくはメス端末が設けられていることである。なお、上記コネクタはＰＣ本体のＵＳＢ電源等を使用することにより、コネクタで充電が可能となるようにすることが好ましい。
【考案の効果】
【００１０】
以上本考案のコネクタは多角形の盤上で、好ましくは手のひらに包むことが可能な小型のものとすることができ、従ってポケットに収容するなど携行に便利で必要な時にすぐ取出し使用することができるのである。
【００１１】
また多角形の各面には上記のようにＵＳＢ、ＦＯＭＡ、ＰＤＣ、ＣＤＭＡ、ｉｐｏｄなど一般的なものの外、必要に応じてあるいは将来発生するこの種接続子機器のオスあるいはメス端末に適用する接続機能をもたせることも可能である。
【００１２】
従ってたとえば、本コネクタ本体のＵＳＢオス端子をＰＣに接続させると、ＰＣ側からＵＳＢオス端子を通じて、他の多角形面上のミニＵＳＢ５ピンに電源が送られ、ミニＵＳＢ５ピンに接続した機器、例えばＭＰ３音楽プレイヤーなどを充電することが可能となるのであり、このように多種多様の機器からＰＣに接続する場合、それぞれの接続に見合ったそれぞれの端子を常に多数持ち歩く必要はなく、１つのコネクタを用意しておけば全てに対応できるというものである。
【００１３】
図１で（１）はコネクタ本体で、この実施例のものは平らな５角注の形状をなしている。而して（２）は公知の繰出しリール（３）を備えたＰＣのケーブルで、図示のものは該ケーブル（２）の一端にはＰＣ（Ａ）に接続するためのオス端子（４）及び他端には、図２で上記コネクタ本体（２）に突出させて設けたＰＣコンセット（図示せず）に結合できるＰＣメス端子（５）が接続されている。
【００１４】
図でみられるようにこのＰＣケーブル（２）のコンセント（４）、ＰＣメス端子（５）、オス端子（６）を含めて全てのコンセントやプラグはその機器用途に併せてそれぞれが異なった形状及び構造を有している。
【００１５】
而して勿論このコネクタ本体（１）の形状は５角形状に限ることなく、丸でも３角でも４角でも、また柱状である必要なく円盤状でも球状でも円錐、角柱でも製造者、利用者の嗜好で選ばれる。
【００１６】
またこの実施例で、コネクタ本体（１）の周囲の５つの平面には各種のオス，メス端子が設けられている。なお図示しないが、このコネクタ本体の裏面にマグネットを設け、適宜の場所に固着できるようにするとよい。
【００１７】
次に図でコネクタ本体（１）の１つの側面（６）にはＵＳＢ（Universal  Serial  Bus）のメス端子で、キーボードやマウス、モデム、ジョイスティックなど周辺機器とＰＣを結ぶデータ送信路の規格品であり、ＵＳＢソケットは各種のものがあり、図示したものはミニＵＳＢ８ピソ（ＭＰ３）で、（１１）はそのメス端子であるが、このプラグの形状は図示のものに限ることになる各種の形状のものが販売されている。
【００１８】
図の（７）は他の側面で、他のミニＵＳＢ５ピソ（ＭＰ５）を設けてもよいが、ここではＵＳＢリーダ／ライタのスターカード（１３）用メス端子（１２）を例に示した。
【００１９】
図の（１４）は、コネクタ本体（１）の側面（８）に設けたアイポット(ｉｐｏｄ)ミニナノの接続メス端子である。このアイポット（１５）は米国アップル（Apple）社のハードディスク内蔵携帯ＭＰ３プレイヤーを搭載し、このハードディスクの容量は５乃至２０ＧＢで、高速な音楽データの転送が可能となっており、（１６）はそのオス端子である。
【００２０】
コネクタ本体（１）の側面（９）には、図の例でＣＤＭＡ（Code
Division  Multiple  Access）のメス端子（１７）が設けられている。このＣＤＭＡは携帯電話など無線通信に使われる方式の１例であり、複数の発信者の音声番号に使われる方式の一例で複数の発信者の音声にそれぞれ異なる符合を乗算し、全ての音声符号を合成して１つの周波数を使って送るもので、受け手は自分と会話している相手の符号に乗算することにより、相手方の信号のみを取出すことができるものである。
【００２１】
コネクタ本体（１）の側面（１０）には、図３でみられるようにＦＯＭＡ（Freedom  of  mobile  multimedia  Access）の接続メス端子（１８）が設けられている。このＦＯＭＡはＩＭＴ−２０００方式による携帯電話サービスで高速データ通信サービスがその主な用途である。
【００２２】
このように近時は携帯電話のような端末機器とＰＣを接続させ、多種多様のデータ処理を行わせることが常識となっているが、当然のこと乍これら端末機器は多種多用の用途から、その混同誤認を防ぐためそれぞれのオス及びメス端子の形状が異なっている。
【００２３】
そこで、これら端末を接続するには、これら多種多用に応じた共通のオスメス端末を用意しておかなくてはならない。
【００２４】
この点本発明では１つのコネクタ本体（１）があれば５種類の接続の異なった機器の端末でも多目的に接続できるのである。
【００２５】
即ち、たとえばコネクタ本体（１）のＵＳＢオス端子（５）をＰＣ（Ａ）に接続すると、該ＰＣ（Ａ）側からＵＳＢオス端子（５）を通じて、仮令えば同コネクタ本体（１）の側面（８）に設けたｉｐｏｄ（１５）のメス端子（１６）にその信号が供給され上記ＭＰ３音響プレイヤー等に接続できるのである。
【００２６】
このように各種機器の接続にあって、この実施例のコネクタ本体（１）があれば、各種機器のそれぞれに適応するオスメス端子やコネクタを用意しておく必要なく、１つのコネクタ本体（１）で全てが兼用されるというものである。
【００２７】
なお本発明を実施する場合コネクタ本体（１）の裏面に感圧性の接着剤皮膜や、マグネットを貼着等の手段で設けておけば、該コネクタ本体（１）を木材あるいはスチール等の机などの家具に固定させて使用できること勿論である。
【図面の簡単な説明】
【００２８】
【図１】本案コネクタ本体の平面図
【図２】同コネクタ本体とこれに接続する各種端子を表す斜視説明図
【図３】同コネクタ本体と他の端子及び周辺機器との接続を表す斜視説明図
【符号の説明】
【００２９】
１、 コネクタ本体
２、 ＰＣケーブル
３、 繰出しリール
４、 ＰＣコンセント
５、 ＵＳＢミニオス端子
６、 側面
７、 側面
８、 側面
９、 側面
１０、 側面
１１、 ＵＳＢメス端子
１２、 スターカード用メス端子
１３、 リーダ／ライタのスターカード
１４、 ｉｐｏｄメス端子
１５、 アイポット
１６、 同メス端子
１７、 ＦＯＭＡ
１８、 同メス端子
【図１】
0003127095.tif 000003
【図２】
0003127095.tif 000004
【図３】
0003127095.tif 000005
【手続補正書】
【提出日】平成18年8月8日(2006.8.8)
【手続補正１】
【補正対象書類名】実用新案登録請求の範囲
【補正対象項目名】全文
【補正方法】変更
【補正の内容】
【実用新案登録請求の範囲】
【請求項１】
パーソナルコンピュータ等と接続するケーブルを備えたコネクタ本体にあって、該コネクタ本体はこれを多角形の盤状となし、各多角形の面には、キーボードやマウス，モデム，ジョイスティックなどの周辺機器とパーソナルコンピュータを結ぶデータ伝送路であるＵＳＢの端子や、携帯電話のサービス伝送路であるFOMA（商標登録）等のIMT-2000（国際電機通信連合(ITU)の定めた次世代携帯電話方式の標準規格）方式による携帯電話の端子や、ユーザのセキュリティに関する情報などを管理しその認証を行うサーバとの伝送路であるＰＤＣの端子や、携帯電話などの無線通信に使われる符号分割多重方式との接続に用いられるＣＤＭＡ１の端子や、高速な音楽データの転送を可能とするi-pod（商標登録）等のハードディスク内蔵携帯MP3プレーヤの端子プラグなど、等多種多用のオスorメス端子が設けられていることを特徴とする電子情報接続用コネクタ。
【手続補正２】
【補正対象書類名】明細書
【補正対象項目名】全文
【補正方法】変更
【補正の内容】
【考案の詳細な説明】
【技術分野】
【０００１】
この考案は、多種多様の電子情報機械を接続する電子情報接続用コネクタに関する。
【背景技術】
【０００２】
今日キーボードやマウス、モデム、ジョイスティックなどとパーソナルコンピュータ（以下単にＰＣという）を結ぶデータ伝送路であるＵＳＢ（Universal  Serial  Bus）や、携帯電話サービス伝送路であるFOMA（商標登録）等のIMT-2000（国際電機通信連合(ITU)の定めた次世代携帯電話方式の標準規格）方式による携帯電話や、ユーザのセキュリティに関する情報などを管理し、その認証を行うサーバとの伝送路であるＰＤＣ（Primary  Of  Mobile  multimedia  Access）や、高速な音楽データの転送を可能とするi-pod（商標登録）等のハードディスク内蔵携帯MP3プレーヤなどの情報を処理する多種多様の情報処理機器や周辺機器が出回っている。
【０００３】
しかし、それらの複数の機器を接続したり、あるいは接続ケーブルの延長させたりするには、それぞれの機器の特性があって、それぞれ独自の専用端末（プラグやソケット）などのコネクタが必要となり、これら端末の相互交換はできない。
【０００４】
そこで仮令えば、車輌内に配装されたシガーライターソケットに接続するアダプタに、携帯用オーディオ機器で聴取可能であり乍ら携帯用電子機器を同時に充電することが可能なトランスミッター装置（特許文献１参照）が考案されている。
【０００５】
また上記ＵＳＢ接続方式は複雑なインターフェイスを統一化し接続を容易にするものとして近年注目されており、各種周辺機器への適用が進展している。しかるに、一台のＰＣ本体に対し、接続したい周辺機器の数が増えると、コネクタ数つまりＵＳＢレセプタルの数が足りなくなるといった状況が発生し、このような場合、従来においては例えばＵＳＢハブ同士を連結してＵＳＢレセプタルの数を増やすといったことが行われていた。
【０００６】
而してＵＳＢハブ同志の連結は、一方のＵＳＢハブのＵＳＢレセプタルに、他方のＵＳＢハブのＵＳＢプラグを接続することによってＵＳＢハブを増設すると、ケーブルの数が増えその分ＵＳＢハブの周囲がケーブルによって占有され、煩雑で邪魔なものとなっていた。
【特許文献１】登録実用新案第３１１２８８８号公報
【考案の開示】
【考案が解決しようとする課題】
【０００７】
本考案の目的は多種多様の電子機器や周辺機器の端子であっても、１つのコネクタ本体で多数の電子機器端末を接続可能となし、電子情報接続用コネクタを提供することにある。
【課題を解決するための手段】
【０００８】
而して本考案の特徴とするところは、ＰＣ等と接続するケーブルを備えたコネクタ本体にあって、該コネクタ本体はこれを多角形の盤状となしたことである。
【０００９】
また他の特徴として上記コネクタ本体の各多角形の面には、キーボードやマウス、モデム、ジョイスティックなどの周辺機器とパーソナルコンピュータを結ぶデータ転送路であるＵＳＢ端末や、携帯電話のサービス伝送路であるFOMA（商標登録）等のIMT-2000（国際電機通信連合(ITU)の定めた次世代携帯電話方式の標準規格）方式による携帯電話端末や、ユーザのセキュリティに関する情報などを管理しその認証を行うサーバとの伝送路であるＰＤＣ端末や、携帯電話などの無線通信に使われる符号分割多重方式との接続に用いられるＣＤＭＡ１端末や、高速な音楽データの転送を可能とするi-pod（商標登録）等のハードディスク内蔵携帯MP3プレーヤ端末など、多種多様オス若しくはメス端末が設けられていることである。なお、上記コネクタはＰＣ本体のＵＳＢ電源等を使用することにより、コネクタで充電が可能となるようにすることが好ましい。
【考案の効果】
【００１０】
以上本考案のコネクタは多角形の盤上で、好ましくは手のひらに包むことが可能な小型のものとすることができ、従ってポケットに収容するなど携行に便利で必要な時にすぐ取出し使用することができるのである。
【００１１】
また多角形の各面には上記のようにＵＳＢ、FOMA（商標登録）等のIMT-2000（国際電機通信連合(ITU)の定めた次世代携帯電話方式の標準規格）方式による携帯電話、ＰＤＣ、ＣＤＭＡ１、i-pod（商標登録）等のハードディスク内蔵携帯MP3プレーヤなど一般的なものの外、必要に応じてあるいは将来発生するこの種接続子機器のオスあるいはメス端末に適用する接続機能をもたせることも可能である。
【００１２】
従ってたとえば、本コネクタ本体のＵＳＢオス端子をＰＣに接続させると、ＰＣ側からＵＳＢオス端子を通じて、他の多角形面上のミニＵＳＢ５ピンに電源が送られ、ミニＵＳＢ５ピンに接続した機器、例えばＭＰ３音楽プレイヤーなどを充電することが可能となるのであり、このように多種多様の機器からＰＣに接続する場合、それぞれの接続に見合ったそれぞれの端子を常に多数持ち歩く必要はなく、１つのコネクタを用意しておけば全てに対応できるというものである。
【考案を実施するための最良の形態】
【００１３】
図１で（１）はコネクタ本体で、この実施例のものは平らな５角形の形状をなしている。而して（２）は公知の繰出しリール（３）を備えたＰＣのケーブルで、図示のものは該ケーブル（２）の一端にはＰＣ（Ａ）に接続するためのオス端子（４）及び他端には、図２で上記コネクタ本体（１）に突出させて設けたＰＣコンセット（図示せず）に結合できるＰＣメス端子（５）が接続されている。
【００１４】
図でみられるようにこのＰＣケーブル（２）のコンセント（１９）、ＰＣメス端子（５）、オス端子（４）を含めて全てのコンセントやプラグはその機器用途に併せてそれぞれが異なった形状及び構造を有している。
【００１５】
而して勿論このコネクタ本体（１）の形状は５角形状に限ることなく、丸でも３角でも４角でも、また柱状である必要もなく円盤状でも球状でも円錐、角柱でも製造者、利用者の嗜好で選ばれる。
【００１６】
またこの実施例で、コネクタ本体（１）の周囲の５つの平面には各種のオス，メス端子が設けられている。なお図示しないが、このコネクタ本体の裏面にマグネットを設け、適宜の場所に固着できるようにするとよい。
【００１７】
次に図で（１１）はコネクタ本体（１）の１つの側面（６）に設けたＵＳＢ（Universal  Serial  Bus）のメス端子で、キーボードやマウス、モデム、ジョイスティックなど周辺機器とＰＣを結ぶデータ送信路の規格品であり、ＵＳＢソケットは各種のものがあり、図示したものはミニＵＳＢ８ピソ（ＭＰ３）で、このプラグの形状は図示のものに限ることになる各種の形状のものが販売されている。
【００１８】
図の（７）は他の側面で、他のミニＵＳＢ５ピン（ＭＰ５）を設けてもよいが、ここではＵＳＢリーダ／ライタのスターカード（１３）用メス端子（１２）を例に示した。
【００１９】
図の（１４）は、コネクタ本体（１）の側面（８）に設けたi-pod（商標登録）等のハードディスク内蔵携帯MP3プレーヤの接続オス端子である。このi-pod（商標登録）（１５）は米国アップル（Apple）社のハードディスク内蔵携帯ＭＰ３プレイヤーを搭載し、このハードディスクの容量は５乃至２０ＧＢで、高速な音楽データの転送が可能となっており、（１６）はそのメス端子である。
【００２０】
コネクタ本体（１）の側面（９）には、図の例でＣＤＭＡ１（Code Division Multiple  Access）のオス端子（１７）が設けられている。このＣＤＭＡ１は携帯電話など無線通信に使われる方式の１例であり、複数の発信者の音声番号に使われる方式の一例で複数の発信者の音声にそれぞれ異なる符合を乗算し、全ての音声符号を合成して１つの周波数を使って送るもので、受け手は自分と会話している相手の符号に乗算することにより、相手方の信号のみを取出すことができるものである。
【００２１】
コネクタ本体（１）の側面（１０）には、図３でみられるようにFOMA（商標登録）等のIMT-2000（国際電機通信連合(ITU)の定めた次世代携帯電話方式の標準規格）方式による携帯電話の接続オス端子（１８）が設けられている。このFOMA（商標登録）等のIMT-2000（国際電機通信連合(ITU)の定めた次世代携帯電話方式の標準規格）方式による携帯電話はＩＭＴ−２０００方式による携帯電話サービスで高速データ通信サービスがその主な用途である。
【００２２】
このように近時は携帯電話のような端末機器とＰＣを接続させ、多種多様のデータ処理を行わせることが常識となっているが、当然のこと乍これら端末機器は多種多用の用途から、その混同誤認を防ぐためそれぞれのオス及びメス端子の形状が異なっている。
【００２３】
そこで、これら端末を接続するには、これら多種多用に応じた共通のオスメス端末を用意しておかなくてはならない。
【００２４】
この点本発明では１つのコネクタ本体（１）があれば５種類の接続の異なった機器の端末でも多目的に接続できるのである。
【００２５】
即ち、たとえばコネクタ本体（１）のＵＳＢメス端子（５）をＰＣ（Ａ）に接続すると、該ＰＣ（Ａ）側からＵＳＢメス端子（５）を通じて、仮令えば同コネクタ本体（１）の側面（８）に設けたi-pod（商標登録）等のハードディスク内蔵携帯MP3プレーヤ（１５）のメス端子（１６）にその信号が供給され上記ＭＰ３音響プレイヤー等に接続できるのである。
【００２６】
このように各種機器の接続にあって、この実施例のコネクタ本体（１）があれば、各種機器のそれぞれに適応するオスメス端子やコネクタを用意しておく必要なく、１つのコネクタ本体（１）で全てが兼用されるというものである。
【００２７】
なお本発明を実施する場合コネクタ本体（１）の裏面に感圧性の接着剤皮膜や、マグネットを貼着等の手段で設けておけば、該コネクタ本体（１）を木材あるいはスチール等の机などの家具に固定させて使用できること勿論である。
【図面の簡単な説明】
【００２８】
【図１】本案コネクタ本体の平面図
【図２】同コネクタ本体とこれに接続する各種端子を表す斜視説明図
【図３】同コネクタ本体と他の端子及び周辺機器との接続を表す斜視説明図
【符号の説明】
【００２９】
Ａ、  ＰＣ
１、 コネクタ本体
２、 ＰＣケーブル
３、 繰出しリール
４、 オス端子
５、 メス端子
６、 側面
７、 側面
８、 側面
９、 側面
１０、 側面
１１、 ＵＳＢメス端子
１２、 スターカード用メス端子
１３、 リーダ／ライタのスターカード
１４、 i-podオス端子
１５、 アイポット
１６、 同メス端子
１７、 オス端子
１８、 オス端子
１９、 ＰＣコンセント
【手続補正３】
【補正対象書類名】図面
【補正対象項目名】全図
【補正方法】変更
【補正の内容】
【図１】
0003127095.tif 000006
【図２】
0003127095.tif 000007
【図３】
0003127095.tif 000008